(57)【要約】【課題】錠ばねを用いる端子装置において、簡単な構成により、繰り返し使用に対する耐久信頼性を確保して小型化を可能とする。【解決手段】端子装置１は、端子板２と、端子板２を保持するボディ３と、電線１０を端子板２に電気的および機械的に接続する板状の錠ばね４とを備えている。錠ばね４は、電線１０の挿入時に電線１０をガイドし電線を端子板２に押圧付勢する鎖錠部４１と、この鎖錠部４１と一体的にあって電線挿入方向と直交する方向にばね性を有する変形部４２とを備えている。電線１０を電線挿入孔３１に挿入すると、変形部４２が変形して鎖錠部４１が挿入方向ｘに直交する方向ｙに移動する。挿入が完了すると、鎖錠部４１の先端のエッジ４１ａが電線１０に食い込み、抜けが防止される。端子装置１によれば、鎖錠部４１の変形によらずに変形部４２の変形による動作としたので、従来の鎖錠部よりも電線挿入方向の寸法を短縮できる。【選択図】図１
2013222508.tif 000002
【特許請求の範囲】
【請求項１】
電気を導通する端子板と、前記端子板を保持するボディと、前記ボディに挿入される電線を前記端子板に電気的および機械的に接続する板状の錠ばねと、を備えた端子装置において、
前記錠ばねは、電線の挿入時に電線をガイドし電線を前記端子板に押圧する鎖錠部と、この鎖錠部と一体的にあって電線挿入方向と直交する方向にばね性を有する変形部と、を備え、前記電線の挿入時に前記変形部が変形するようにしたことを特徴とする端子装置。
【請求項２】
前記錠ばねの変形部は、アーチ形状を有し、該アーチ形状の基部が前記ボディに摺動自在に保持され、該アーチ形状の頂部に前記鎖錠部を有していることを特徴とする請求項１に記載の端子装置。
【請求項３】
前記変形部は、前記鎖錠部よりも変形容易となる構造を有することを特徴とする請求項１または請求項２に記載の端子装置。
【請求項４】
前記鎖錠部は、電線の挿入方向に湾曲したＲ曲げ部を有することを特徴とする請求項１乃至請求項３のいずれか一項に記載の端子装置。
【請求項５】
前記鎖錠部は、前記変形部からの切り起こし片によって構成されていることを特徴とする請求項１乃至請求項４のいずれか一項に記載の端子装置。
【請求項６】
前記鎖錠部は、剛性を付与するビード形状を有することを特徴とする請求項１乃至請求項５のいずれか一項に記載の端子装置。
【請求項７】
前記変形部は、変形を容易とする肉抜き部を有することを特徴とする請求項１乃至請求項６のいずれか一項に記載の端子装置。
【請求項８】
前記ボディは、前記鎖錠部の移動を電線の挿入方向と直交する方向に制限する案内溝を有することを特徴とする請求項１乃至請求項７のいずれか一項に記載の端子装置。
【請求項９】
前記変形部は、前記ボディ内で移動する自由端を有し、
前記ボディは、前記自由端の移動を制限するストッパ構造を有することを特徴とする請求項１乃至請求項８のいずれか一項に記載の端子装置。
【発明の詳細な説明】
【技術分野】
【０００１】
本発明は、電線を端子板に電気的および機械的に接続する錠ばねを備えた端子装置に関する。
【背景技術】
【０００２】
従来から、スイッチやコンセント等の電気器具に対し、器体に設けられた電線挿入孔に電線を挿入するだけで、電気器具内の端子板に電線を電気的および機械的に接続することができる端子装置が知られている（例えば、特許文献１参照）。このような従来の端子装置の例を、図１９によって説明する。図１９（ａ）（ｂ）に示すように、端子装置９は、ボディ９１と、端子板９２と、錠ばね９３と、を備えている。端子板９２と錠ばね９３は、ボディ９１に挿入される電線９０を挟持するようにボディ９１内に納められている。錠ばね９３は、長尺矩形のばね板材を大略リング状に屈曲して成り、その２つの自由端部によっての鎖錠部９３ａと、押圧部９３ｂとが形成されている。鎖錠部９３ａは、図１９（ｃ）に示すように、自由端に至る寸法Ｌの直線部分で構成され、その先端は電線９０の挿入方向ｘ前方に向けられ電線挿入を容易にしている。押圧部９３ｂは、電線９０に接する円弧部を有し、電線抜き差しを容易にしている。鎖錠部９３ａと押圧部９３ｂとは、電線９０の挿入によって、それぞれ角度α，βの傾動を伴って変形し、この変形によって電線９０を押圧する付勢力が発生する。鎖錠部９３ａの先端は、付勢力によって電線９０に食い込み、電線９０の抜けを機械的に防止する。押圧部９３ｂは、付勢力によって電線９０を端子板９２に押圧し、電線９０と端子板９２とを電気的に接続する。
【先行技術文献】
【特許文献】
【０００３】
【特許文献１】特開２００９−２５９５３７号公報
【発明の概要】
【発明が解決しようとする課題】
【０００４】
しかしながら、上述したような従来の端子装置においては、錠ばねの鎖錠部のばね性（付勢力）を確保するために、図１９（ｃ）に示した寸法Ｌをある程度確保する必要があることから、錠ばねの小型化に限界がある。鎖錠部は、多数回の電線挿抜の繰り返しに対してばね性を維持できる耐久信頼性が求められる。上述のような錠ばねは、付勢力を生じる屈曲部に続く直線部分を鎖錠部とするので、屈曲部の疲労を抑えるために、屈曲部からの付勢力に加え、寸法Ｌを長くした鎖錠部の全体の変形による付勢力を利用することになる。これは、錠ばねの大型化の原因となる。また、上述したような従来の端子装置においては、鎖錠部が変形するものであり、さらに、寸法Ｌを短くできないこともあって、電線の挿入方向の寸法を短くした端子装置が欲しいという要望に対応することができない。
【０００５】
本発明は、上記課題を解消するものであって、簡単な構成により、繰り返し使用に対する耐久信頼性を確保して小型化を実現できる端子装置を提供することを目的とする。
【課題を解決するための手段】
【０００６】
上記課題を達成するために、本発明の端子装置は、電気を導通する端子板と、端子板を保持するボディと、ボディに挿入される電線を端子板に電気的および機械的に接続する板状の錠ばねと、を備えた端子装置において、錠ばねは、電線の挿入時に電線をガイドし電線を端子板に押圧する鎖錠部と、この鎖錠部と一体的にあって電線挿入方向と直交する方向にばね性を有する変形部と、を備え、電線の挿入時に変形部が変形するようにしたことを特徴とする。
【０００７】
この端子装置において、錠ばねの変形部は、アーチ形状を有し、該アーチ形状の基部がボディに摺動自在に保持され、該アーチ形状の頂部に鎖錠部を有してもよい。
【０００８】
この端子装置において、変形部は鎖錠部よりも変形容易となる構造を有してもよい。
【０００９】
この端子装置において、鎖錠部は電線の挿入方向に湾曲したＲ曲げ部を有してもよい。
【００１０】
この端子装置において、鎖錠部は変形部からの切り起こし片によって構成されていてもよい。
【００１１】
この端子装置において、鎖錠部は剛性を付与するビード形状を有してもよい。
【００１２】
この端子装置において、変形部は変形を容易とする肉抜き部を有してもよい。
【００１３】
この端子装置において、ボディは鎖錠部の移動を電線の挿入方向と直交する方向に制限する案内溝を有してもよい。
【００１４】
この端子装置において、変形部はボディ内で移動する自由端を有し、ボディは自由端の移動を制限するストッパ構造を有してもよい。
【発明の効果】
【００１５】
本発明の端子装置によれば、鎖錠部ではなく、変形部の電線挿入方向と直交する方向のばね性によって変形部が変形するので、鎖錠部の耐久信頼性を確保でき、従来の鎖錠部よりも電線挿入方向の寸法を短くすることができる。
【図面の簡単な説明】
【００１６】
【図１】（ａ）は本発明の一実施形態に係る端子装置の平面図、（ｂ）は（ａ）のＡ−Ａ線断面図に挿入前と挿入後の各電線を記入した図。
【図２】同端子装置の斜視図。
【図３】（ａ）は同端子装置の分解斜視図、（ｂ）は同端子装置の一部分解斜視図。
【図４】（ａ）は電線挿入前の同端子装置の錠ばねを示す斜視図、（ｂ）は（ａ）の状態から電線を挿入した状態となった錠ばねを示す斜視図。
【図５】同端子装置の錠ばねの変形部の動作を模式的に示す平面図。
【図６】（ａ）は電線挿入前の同端子装置の錠ばねの平面図、（ｂ）は同側面図。
【図７】（ａ）は電線が挿入された状態の同端子装置の錠ばねの平面図、（ｂ）は同側面図。
【図８】（ａ）は同端子装置における錠ばねの配置を上面から示す斜視図、（ｂ）は（ａ）のＢ−Ｂ線断面図。
【図９】（ａ）は同端子装置の錠ばねの側面図、（ｂ）は同錠ばねの斜視図。
【図１０】（ａ）（ｂ）は同端子装置の錠ばねの変形例の斜視図。
【図１１】同端子装置の錠ばねの他の変形例の斜視図。
【図１２】同端子装置の錠ばねのさらに他の変形例の斜視図。
【図１３】（ａ）〜（ｄ）は同端子装置の錠ばねのさらに他の変形例の斜視図。
【図１４】（ａ）（ｂ）（ｃ）は同端子装置の錠ばねのさらに他の変形例の斜視図。
【図１５】（ａ）（ｂ）（ｃ）は同端子装置の錠ばねのさらに他の変形例の斜視図。
【図１６】（ａ）（ｂ）は同端子装置の錠ばねのさらに他の変形例の斜視図。
【図１７】同端子装置の錠ばねの接圧を弾塑性変形シミュレーションによって計算した結果を計算ステップに対する接圧値の変化として示すグラフ。
【図１８】同端子装置の錠ばねの変形例の接圧を弾塑性変形シミュレーションによって計算した結果を計算ステップに対する接圧値の変化として示すグラフ。
【図１９】（ａ）は従来の端子装置に電線が挿入接続されている状態を示す断面図、（ｂ）同端子装置の錠ばねの斜視図、（ｃ）は同錠ばねの動作を説明する側面図。
【発明を実施するための形態】
【００１７】
以下、本発明の一実施形態に係る端子装置について、図面を参照して説明する。図１乃至図７は端子装置１を示す。端子装置１は、図１乃至図３に示すように、電気を導通する端子板２と、端子板２を保持するボディ３と、ボディ３に挿入される電線１０を端子板２に電気的および機械的に接続する板状の錠ばね４と、解除ボタン５と、を備えている。この端子装置１は、２系統の電線１０を各々個別に端子板２に接続するように互いに対称に構成されている。端子板２は、電気導体板からプレス成形され、その主面から垂下した電線接続部２１と、主面をボディ３の外部まで延伸する導出部２２を有している。導出部２２には外部に電気接続するための接続孔が形成されている。端子板２は２種類あり、それらは２系統に対応すべく互いに左右勝手違いである。ボディ３は、例えば、電気絶縁性の樹脂成形品であり、大略外形は、平面視長方形の扁平四角形である。ボディ３は、その下面から上面に貫通する電線挿入孔３１と、その上面に凹部として形成され、錠ばね４が収納されて動作するための空間３２と、を各々２系統分備えている。空間３２は、平面視で長四角形の中央から四角形を突出させた形状の開口を有する凹部であり、その突出した四角形状の凹部に、電線挿入孔３１が連通している。また、空間３２には解除ボタン５を挿入動作させる空間が連通形成され、その空間はボディ３の側方に開口している。図中に、ボディ３の下面から上面に向かう方向ｘと、ボディ３の長辺に沿う方向ｙとを矢印で示す。方向ｘと方向ｙとは互いに直交する。方向ｘは電線１０を挿入する方向である。
【００１８】
錠ばね４は、２系統用に同じ物が２つ用いられる。錠ばね４は、電線１０の挿入時に電線１０をガイドし電線を端子板２に押圧付勢する鎖錠部４１と、この鎖錠部４１と一体的にあって電線挿入方向と直交する方向にばね性を有する変形部４２と、を備えている。変形部４２は、電線挿入時に鎖錠部４１を電線挿入方向と直交する方向に移動させるように変形する。変形部４２は鎖錠部４１よりも変形容易となる構造を有する。すなわち、錠ばね４は、長尺の板ばねをアーチ形状に加工した変形部４２に、そのアーチ形状の頂部Ｐから延伸されて曲げ加工された形状の鎖錠部４１を一体的に備えて、例えば、板ばね材からプレス成形によって形成される。さらに述べると、変形部４２は、長尺の板ばねの中央部を略台形状に突出変形し、両端部をそれぞれ跳ね上げるように曲げ加工した形状を有し、断面が弓形状を有する。また、板ばねの長尺方向と電線挿入方向とが互いに直交する関係にある。鎖錠部４１は、変形部４２の中央部を側方に延伸した四角舌片を形成し、その四角舌片を変形部４２の台形状の突出部よりもさらに突出する方向に９０度より大きく曲げ加工し、四角舌片の先端のエッジ部分が突出する形状に形成されている。
【００１９】
端子装置１の組立を説明する。錠ばね４は、鎖錠部４１を電線挿入孔３１に臨ませ、変形部４２のアーチ形状における基部Ｑの突出面を空間３２の内壁３２ａに対向させて空間３２に納められる。基部Ｑの突出面の最突出部は、内壁３２ａに接する摺接部４ａであり、基部Ｑは、ボディ３に摺動自在に保持される。解除ボタン５は、その先端を変形部４２の頂部Ｐに近接させてボディ３の側方から空間３２に納められる。端子板２は、錠ばね４と端子板２とを覆う態様でボディ３の上面に配置され、その電線接続部２１は、電線挿入孔３１を側方から臨むように、電線挿入孔３１と平行に空間３２の突出空間部分に挿入されている。この状態で、鎖錠部４１の先端と、電線接続部２１の電気接続面２１ａとが、電線挿入孔３１の中心軸を挟んで互いに対向した配置となる。ボディ３に錠ばね４と解除ボタン５と端子板２とを配置した状態で、これらを覆う態様で不図示の電気絶縁性のカバーが、ボディ３に取り付けられ固定される。
【００２０】
図４乃至図７を参照して、端子装置１の動作を説明する。電線１０を挿入方向ｘに沿って電線挿入孔３１に挿入すると、鎖錠部４１が、電線１０の押し込み力によって矢印ａの方向、すなわち、方向ｘに直交する方向ｙに平行移動し、摺接部４ａが内壁３２ａに沿って矢印ｂの２方向に平行移動する。矢印ｂの方向は、方向ｘと方向ｙとに直交する２方向である。挿入が完了すると、電線１０は、鎖錠部４１から押圧力を受け、電線接続部２１の電気接続面２１ａに押圧接触されて端子板２に電気的に接続される。また、鎖錠部４１の先端のエッジ４１ａが電線１０に食い込む状態になり、電線１０の抜けが機械的に防止される。この状態で、解除ボタン５をボディ３の内部に挿入すると、解除ボタン５からの力によって変形部４２が変形して鎖錠部４１が矢印ａの方向にさらに平行移動し、エッジ４１ａが電線１０から離脱して抜け止めが解除され、電線１０が抜き取り可能となる。
【００２１】
端子装置１によれば、錠ばね４が、電線挿入方向ｘに対して垂直な方向ｙに付勢力を発生するばね性を備える構成とされているので、電線挿入方向の寸法を短くでき、上述のボディ３は、扁平構成が実現されている。言い換えると、鎖錠部４１の変形によらずに変形部４２の変形による動作としたので、従来の鎖錠部よりも電線挿入方向の寸法を短縮できる。例えば、従来の端子装置における寸法１６．４ｍｍに対して、端子装置１では７ｍｍに短縮できる。また、錠ばね４を、ほとんど変形しない鎖錠部４１と付勢力を発生する変形部４２とに役割分担して構成したので、鎖錠部４１の変形によらずに動作でき、繰り返し使用に対する鎖錠部４１の耐久信頼性を確保できる。さらに、変形部４２の構造設計には、鎖錠部４１の構成からの制約が少ないので、設計自由度が高く、変形部４２の耐久信頼性を確保する設計とすることができる。なお端子装置１は、実空間における上下左右等の取付姿勢に関わりなく用いることができる。また、図１等の端子装置１は、１つのボディ３に２系統の電線を接続する一例であり、これに限らず、１系統としたり、３系統以上としたりすることができる。また、端子装置１は、電線挿入孔３１等の形状を変更することにより、円柱断面の電線に限らず、プラグ端子や、任意形状の電線、例えば、四角電線や板状電線などに対応することができる。
【００２２】
次に、図８、および上述の図１を参照して、錠ばね４の収納空間について説明する。変形部４２の幅Ｗ４２を、両自由端４２ａ間の距離で定義すると、幅Ｗ４２は、変形部４２の変形に伴って変動する。また、空間３２において、変形部４２の摺接部４ａが摺接移動する内壁３２ａは、内壁３２ａに直交する側壁３２ｂによって幅Ｗ３２に制限されており、変形部４２の幅Ｗ４２は、変形部４２の変形に伴って変動するが、幅Ｗ３２を越えることはない。従って、錠ばね４は、空間３２に収納された状態で、その変形部４２の両自由端４２ａの移動が、側壁３２ｂによるストッパ構造によって制限される。このストッパ構造により、変形部４２の変形量を、板ばねの物性や電線１０の許容寸法に応じて、所定の値に調整して設計することができ、従って、電線１０を機械的に保持する保持力を適切に、例えば、電線挿入の後半段階において局所的に設定することができる。なお、ストッパ構造は、側壁３２ｂによる構成に限らず、種々の構成とすることができる。例えば、内壁３２ａに傾斜を持たせて変形部４２の変形を制限する力を漸増させるようにしたり、内壁３２ａに凹凸形状や摩擦形状を持たせて段階的に変形を制限したりしてもよい。
【００２３】
また、空間３２には、鎖錠部４１の移動を電線１０の挿入方向ｘと直交する方向ｙに制限する案内溝３３を有している。案内溝３３の溝幅Ｄ３３と鎖錠部４１の幅Ｄ４１とは、Ｄ４１＜Ｄ３３を満たし、変形部４２の変形に伴って鎖錠部４１が案内溝３３の中をがたつきなく移動できるように設定されている。この構成により、電線１０の挿入に際し、鎖錠部４１を電線の挿入方向ｘに直交する方向ｙにガイドして、より確実に平行移動させることができる。
【００２４】
次に、図９（ａ）（ｂ）により、鎖錠部４１の形状を説明する。鎖錠部４１は、電線１０の挿入方向ｘに湾曲したＲ曲げ部４１ｂを有している。Ｒ曲げ部４１ｂは、曲げの加工限界に至らない範囲で、できる限り小さい曲率で曲げることが望ましい。このようなＲ曲げ部４１ｂは、鎖錠部４１のばね性（変形性）を低くすることができるので、より確実に変形を変形部４２に分担させることができ、繰り返し使用に対する鎖錠部４１の耐久信頼性をより高めることができる。
【００２５】
次に、図１０、図１１により、錠ばね４の変形例を説明する。図１０（ａ）に示す錠ばね４は、鎖錠部４１を、変形部４２の中央部からの切り起こし片によって構成したものであり、図１０（ｂ）に示す錠ばね４は、変形部４２の中央部上端からの切り起こし片によって構成したものである。また、図１１に示す錠ばね４は、鎖錠部４１を、変形部４２の中央部下端からの切り起こし片にＲ曲げ加工を施して構成したものである。これらのような錠ばね４によると、金型構造が簡単となり、また、ばね板材を有効利用できるので、製造コストを下げることができる。なお、変形部４２の上端か下端に、凸部を設けて、上述の図８に示した案内溝３３相当のガイド溝によって鎖錠部４１の平行移動を案内するようにしてもよい。
【００２６】
図１２は、錠ばね４の他の変形例を示す。この錠ばね４は、上述の図９に示した錠ばね４の鎖錠部４１に、剛性を付与するビード形状４３を形成したのである。ビード形状４３は、電線１０が接する側とは反対側に盛り上がるように、例えばプレス加工によって形成され、電線１０が接する側には、凹部４３ａか形成されている。この凹部４３ａは、電線１０をガイドするガイド溝の役割をすることができ、また、円柱状の電線１０に対する接触面積を増やして、電線１０の抜け防止を、より確実にすることができる。このような錠ばね４によると、局所的に鎖錠部４１の剛性を高めることができ、電線１０に対する保持力を向上できる。
【００２７】
図１３は、錠ばね４のさらに他の変形例を示す。図１３（ａ）（ｂ）に示す錠ばね４は、それぞれ、上述の図１１、図１２に示した錠ばね４の変形部４２における斜面部分に、変形部４２の変形を容易とする肉抜き部４４を形成したものである。また、図１３（ｃ）（ｄ）に示す錠ばね４は、それぞれ、上述の図９（ａ）（ｂ）、図１２に示した錠ばね４の変形部４２における中央平坦部分に、変形部４２の変形を容易とする肉抜き部４４を形成したものである。このような肉抜き部４４を有する錠ばね４の変形部４２は、ばね性（柔軟性）が高められることにより、ばねのヘタリを抑制でき、繰り返し使用に対する変形部４２の耐久信頼性をより高めることができる。
【００２８】
図１４は、錠ばね４のさらに他の変形例を示す。これらは、変形部４２の自由端とその近傍の自由端部４５，４６の形状に特徴がある。図１４（ａ）の錠ばね４は、上述の図９に示した錠ばね４の変形部４２における外向きに曲げ加工した自由端部に代えて、内向きに曲げ加工した自由端部４５，４６を有する。図１４（ｂ）の錠ばね４は、上述の図９に示した錠ばね４の変形部４２における外向きに曲げ加工した自由端部の一方だけを、内向きに曲げ加工した自由端部４６を有する。図１４（ｃ）の錠ばね４は、上述の図９に示した錠ばね４の変形部４２における自由端部を、平らなままにして曲げ加工しない自由端部４５，４６を有する。
【００２９】
図１５は、錠ばね４のさらに他の変形例を示す。これらの錠ばね４は、上述の図１０（ａ）に示した錠ばね４における切り起こし片による鎖錠部４１の切り起こし方向を、挿入方向ｘから変化させたものである。すなわち、図１５（ａ）の錠ばね４は、上述の図１０（ａ）における挿入方向ｘから９０度回転した方向ｘ１、つまり、変形部４２の長手方向に切り起こして鎖錠部４１を形成している。従って、この方向ｘ１が電線１０の挿入方向になる。また、図１５（ｂ）の錠ばね４は、変形部４２の長手方向から４５度傾いた方向ｘ２に切り起こして鎖錠部４１を形成している。従って、この方向ｘ２が電線１０の挿入方向になる。図１５（ｃ）の錠ばね４は、図１５（ａ）の錠ばね４の鎖錠部４１にビード形状４３、凹部４３ａを形成したものである。これらの錠ばね４によれば、電線挿入方向ｘ１，ｘ２における端子装置１の長さを短縮できないが、平行移動する鎖錠部４１の耐久信頼性その他は、他の錠ばね４と同様である。
【００３０】
図１６は、錠ばね４のさらに他の変形例を示す。図１６（ａ）の錠ばね４は、上述の図１０（ａ）の錠ばね４において、変形部４２を十字形状に備えて、ドーム形状に形成したものである。また、図１６（ｂ）の錠ばね４は、図１６（ａ）の錠ばね４において、変形部４２の上下の自由端部を内側に曲げ加工したものである。
【００３１】
図１７、図１８は、端子装置１の錠ばね４の接圧を弾塑性変形シミュレーションによって計算した結果を計算ステップに対する接圧値の変化として示す。ここで、接圧とは、錠ばねが伝染を押さえ付ける力のことである。図１７は上述の図９に示した錠ばね４に対して、また、図１８は上述の図１０（ａ）に示した切り起こし片による鎖錠部４１を有する錠ばね４に対して、それぞれ直径が２ｍｍの電線を挿入して引き抜く動作を複数回行う場合の計算結果である。図１７の場合、接圧が約１２０Ｎ、図１８の場合、接圧が約５０Ｎという結果が得られた。
【００３２】
なお、本発明は、上記構成に限られることなく種々の変形が可能である。例えば、上述した各実施形態の構成を互いに組み合わせた構成とすることができる。鎖錠部４１は、方向ｙに平行移動すると説明したが、正確に平行移動する必要はなく、斜め移動する構成であってもよい。鎖錠部４１と変形部４２とは互いに一体物である必要はなく、例えば、鎖錠部４１と変形部４２とを別々に形成し、鎖錠部４１を変形部４２に、例えば、かしめ加工や溶接によって固定して一体化してもよい。
【符号の説明】
【００３３】
１    端子装置
１０    電線
２    端子板
３    ボディ
３２ｂ    ストッパ構造
３３    案内溝
４    錠ばね
４１    鎖錠部
４１ｂ    Ｒ曲げ部
４２    変形部
４２ａ    自由端
４３    ビード形状
４４    肉抜き部
ｘ，ｘ１，ｘ２    挿入方向
ｙ    挿入方向に直交する方向
Ｐ    頂部
Ｑ    基部
【図１】
2013222508.tif 000003
【図２】
2013222508.tif 000004
【図３】
2013222508.tif 000005
【図４】
2013222508.tif 000006
【図５】
2013222508.tif 000007
【図６】
2013222508.tif 000008
【図７】
2013222508.tif 000009
【図８】
2013222508.tif 000010
【図９】
2013222508.tif 000011
【図１０】
2013222508.tif 000012
【図１１】
2013222508.tif 000013
【図１２】
2013222508.tif 000014
【図１３】
2013222508.tif 000015
【図１４】
2013222508.tif 000016
【図１５】
2013222508.tif 000017
【図１６】
2013222508.tif 000018
【図１７】
2013222508.tif 000019
【図１８】
2013222508.tif 000020
【図１９】
2013222508.tif 000021